【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  ビデオフレームの入力ストリームを入力すると共に該入力ストリームからストリーミングビデオ受信機に送信するのに適した圧縮された基本レイヤビデオデータを発生することができる基本レイヤ回路であって、前記基本レイヤビデオデータが前記ビデオフレームの入力ストリームに関連する複数の元の変換係数と、該複数の元の変換係数を量子化し及び逆量子化することにより発生された複数の再現された基本レイヤ変換係数とを有するような基本レイヤ回路と、
前記複数の元の変換係数と前記複数の再現された基本レイヤ変換係数とを入力すると共に、これら係数から前記複数の元の変換係数と前記複数の再現された基本レイヤ変換係数との間の差に比例する残差信号を発生することができる拡張レイヤ回路であって、該拡張レイヤ回路が前記ストリーミングビデオ受信機に対して前記残差信号の符号を符号化し及び送出するような拡張レイヤ回路と、
を有していることを特徴とするビデオエンコーダ。
【請求項２】  請求項１に記載のビデオエンコーダにおいて、前記基本レイヤ回路が、前記複数の元の変換係数を発生することができる変換回路を有していることを特徴とするビデオエンコーダ。
【請求項３】  請求項２に記載のビデオエンコーダにおいて、前記変換回路が離散コサイン変換（ＤＣＴ）回路であることを特徴とするビデオエンコーダ。
【請求項４】  請求項１に記載のビデオエンコーダにおいて、前記基本レイヤ回路が前記複数の元の変換係数から前記複数の再現された基本レイヤ変換係数を発生することができる量子化回路と逆量子化回路とを有していることを特徴とするビデオエンコーダ。
【請求項５】  請求項１に記載のビデオエンコーダにおいて、前記拡張レイヤ回路が、前記複数の元の変換係数と前記複数の再現された基本レイヤ変換係数とを比較することができる残差計算回路を有していることを特徴とするビデオエンコーダ。
【請求項６】  圧縮された基本レイヤビデオデータを入力すると共に、該データから前記圧縮された基本レイヤビデオデータの量子化に関連する複数の再現された基本レイヤ変換係数を決定することができる基本レイヤ回路と、
前記圧縮された基本レイヤビデオデータに関連する拡張レイヤビデオデータを入力すると共に、該データから残差信号と該残差信号に関連する符号とを決定することができる拡張レイヤ回路であって、該拡張レイヤ回路が前記残差信号と前記複数の再現された基本レイヤ変換係数とから複数の拡張レイヤ変換係数を再現することができるような拡張レイヤ回路と、
を有していることを特徴とするビデオデコーダ。
【請求項７】  請求項６に記載のビデオデコーダにおいて、前記拡張レイヤ回路が、前記複数の再現された拡張レイヤ変換係数から複数の伸張された拡張レイヤビデオフレームを発生することができる逆変換回路を有していることを特徴とするビデオデコーダ。
【請求項８】  請求項７に記載のビデオデコーダにおいて、前記逆変換回路が逆離散コサイン変換（ＩＤＣＴ）回路であることを特徴とするビデオデコーダ。
【請求項９】  請求項６に記載のビデオデコーダにおいて、前記拡張レイヤ回路が、前記残差信号と前記複数の再現された基本レイヤ変換係数とを加算することができる計算回路を有していることを特徴とするビデオデコーダ。
【請求項１０】  請求項６に記載のビデオデコーダにおいて、前記拡張レイヤ回路が、前記拡張レイヤビデオデータを入力すると共に、該データから前記残差信号と該残差信号に関連する前記符号とを決定することができる拡張レイヤ復号回路を有していることを特徴とするビデオデコーダ。
【請求項１１】  ビデオフレームの入力ストリームを入力すると共に該入力ストリームからストリーミングビデオ受信機に送信するのに適した圧縮された基本レイヤビデオデータを発生することができる基本レイヤ回路と、前記圧縮された基本レイヤビデオデータに関連すると共に前記ストリーミングビデオ受信機に送信するのに適した拡張レイヤビデオデータを発生することができる拡張レイヤ回路とを有するようなビデオエンコーダに使用するための該ビデオエンコーダを動作させる方法において、
前記ビデオフレームの入力ストリームに関連する複数の元の変換係数を発生するステップと、
該複数の元の変換係数を量子化し及び逆量子化することにより複数の再現された基本レイヤ変換係数を発生するステップと、
前記複数の元の変換係数と前記複数の再現された基本レイヤ変換係数とから、前記複数の元の変換係数と前記複数の再現された基本レイヤ変換係数との間の差に比例する残差信号を発生するステップと、
前記ストリーミングビデオ受信機に対して、前記残差信号の符号を符号化し及び送出するステップと、
を有することを特徴とするビデオエンコーダを動作させる方法。
【請求項１２】  請求項１１に記載の方法において、前記基本レイヤ回路が、前記複数の元の変換係数を発生することができる変換回路を有していることを特徴とする方法。
【請求項１３】  請求項１２に記載の方法において、前記複数の元の変換係数が離散コサイン変換（ＤＣＴ）係数であることを特徴とする方法。
【請求項１４】  請求項１１に記載の方法において、前記複数の元の変換係数を発生するステップが、前記ビデオフレームの入力ストリームを量子化し及び逆量子化することにより前記複数の元の変換係数を発生する副ステップを有していることを特徴とする方法。
【請求項１５】  請求項１１に記載の方法において、前記残差信号を発生するステップが、前記複数の元の変換係数と前記複数の再現された基本レイヤ変換係数とを比較するステップを有していることを特徴とする方法。
【請求項１６】  圧縮された基本レイヤビデオデータを入力することができる基本レイヤ回路と、前記圧縮された基本レイヤビデオデータに関連する拡張レイヤビデオデータを入力することができる拡張レイヤ回路とを有するようなビデオデコーダにおいて使用するための、該ビデオデコーダを動作させる方法において、
前記圧縮された基本レイヤビデオデータから、該圧縮された基本レイヤビデオデータの量子化に関連する複数の再現された基本レイヤ変換係数を決定するステップと、
前記拡張レイヤビデオデータから残差信号と該残差信号に関連する符号とを決定するステップと、
前記残差信号と前記複数の再現された基本レイヤ変換係数とから複数の拡張レイヤ変換係数を再現するステップと、
を有していることを特徴とするビデオデコーダを動作させる方法。
【請求項１７】  請求項１６に記載の方法において、前記拡張レイヤ回路が、前記複数の再現された拡張レイヤ変換係数から複数の伸張された拡張レイヤビデオフレームを発生することができる逆変換回路を有していることを特徴とする方法。
【請求項１８】  請求項１７に記載の方法において、前記逆変換回路が逆離散コサイン変換（ＩＤＣＴ）回路であることを特徴とする方法。
【請求項１９】  請求項１６に記載の方法において、前記再現するステップが、前記残差信号と前記複数の再現された基本レイヤ変換係数とを加算するステップを有していることを特徴とする方法。
【請求項２０】  請求項１６に記載の方法において、前記残差信号を決定するステップが、前記入力された拡張レイヤビデオデータを復号すると共に、該データから前記残差信号と該残差信号に関連する前記符号とを決定するステップを有していることを特徴とする方法。
【請求項２１】  圧縮された基本レイヤビデオデータと圧縮された拡張レイヤビデオデータとを入力し及び記憶することができるデコーダバッファと、
前記デコーダバッファに結合されたビデオデコーダと、
を有するようなテレビジョン受信機であって、前記ビデオデコーダが、
前記圧縮された基本レイヤビデオデータを入力すると共に、該データから前記圧縮された基本レイヤビデオデータの量子化に関連する複数の再現された基本レイヤ変換係数を決定することができる基本レイヤ回路と、
前記圧縮された基本レイヤビデオデータに関連する前記圧縮された拡張レイヤビデオデータを入力すると共に、該データから残差信号と該残差信号に関連する符号とを決定することができる拡張レイヤ回路であって、該拡張レイヤ回路が前記残差信号と前記複数の再現された基本レイヤ変換係数とから複数の拡張レイヤ変換係数を再現することができるような拡張レイヤ回路と、
を有していることを特徴とするテレビジョン受信機。
【請求項２２】  請求項２１に記載のテレビジョン受信機において、前記拡張レイヤ回路が、前記複数の再現された拡張レイヤ変換係数から複数の伸張された拡張レイヤビデオフレームを発生することができる逆変換回路を有していることを特徴とするテレビジョン受信機。
【請求項２３】  請求項２２に記載のテレビジョン受信機において、前記逆変換回路が逆離散コサイン変換（ＩＤＣＴ）回路であることを特徴とするテレビジョン受信機。
【請求項２４】  請求項２１に記載のテレビジョン受信機において、前記拡張レイヤ回路が、前記残差信号と前記複数の再現された基本レイヤ変換係数とを加算することができる計算回路を有していることを特徴とするテレビジョン受信機。
【請求項２５】  請求項２１に記載のテレビジョン受信機において、前記拡張レイヤ回路が、前記拡張レイヤビデオデータを入力すると共に、該データから前記残差信号と該残差信号に関連する前記符号とを決定することができる拡張レイヤ復号回路を有していることを特徴とするテレビジョン受信機。
【請求項２６】  圧縮された基本レイヤビデオデータと該圧縮された基本レイヤビデオデータに関連する拡張レイヤビデオデータとを入力することができるビデオ処理システムにおいて使用するための、コンピュータが読み取り可能な記憶媒体に記憶されて前記拡張レイヤビデオデータを復号するためのコンピュータが実行可能な処理ステップであって、該コンピュータが実行可能な処理ステップが、
前記圧縮された基本レイヤビデオデータから、該圧縮された基本レイヤビデオデータの量子化に関連する複数の再現された基本レイヤ変換係数を決定するステップと、
前記拡張レイヤビデオデータから残差信号と該残差信号に関連する符号とを決定するステップと、
前記残差信号と前記複数の再現された基本レイヤ変換係数とから複数の拡張レイヤ変換係数を再現するステップと、
を有していることを特徴とするコンピュータが実行可能な処理ステップ。
【請求項２７】  請求項２６に記載のコンピュータが読み取り可能な記憶媒体に記憶されたコンピュータが実行可能な処理ステップにおいて、前記複数の再現された拡張レイヤ変換係数から複数の伸張された拡張レイヤビデオフレームを発生するステップを有していることを特徴とする処理ステップ。
【請求項２８】  請求項２７に記載のコンピュータが読み取り可能な記憶媒体に記憶されたコンピュータが実行可能な処理ステップにおいて、前記複数の伸張された拡張レイヤビデオフレームを発生するステップが、前記複数の再現された拡張レイヤ変換係数を逆変換するステップを有していることを特徴とする処理ステップ。
【請求項２９】  請求項２８に記載のコンピュータが読み取り可能な記憶媒体に記憶されたコンピュータが実行可能な処理ステップにおいて、前記逆変換するステップが、逆離散コサイン変換（ＩＤＣＴ）を実行するステップを有していることを特徴とする処理ステップ。
【請求項３０】  請求項２６に記載のコンピュータが読み取り可能な記憶媒体に記憶されたコンピュータが実行可能な処理ステップにおいて、前記再現するステップが、前記残差信号と前記複数の再現された基本レイヤ変換係数とを加算するステップを有していることを特徴とする処理ステップ。
【請求項３１】  テレビジョン受信機を有するビデオシステムであって、前記テレビジョン受信機が、
圧縮された基本レイヤビデオデータと圧縮された拡張レイヤビデオデータとを入力し及び記憶することができるデコーダバッファと、
前記デコーダバッファに結合されたビデオデコーダと、
を有し、前記ビデオデコーダが、
前記圧縮された基本レイヤビデオデータを入力すると共に、該データから前記圧縮された基本レイヤビデオデータの量子化に関連する複数の再現された基本レイヤ変換係数を決定することができる基本レイヤ回路と、
前記圧縮された基本レイヤビデオデータに関連する圧縮された拡張レイヤビデオデータを入力すると共に、該データから残差信号と該残差信号に関連する符号とを決定することができる拡張レイヤ回路であって、該拡張レイヤ回路が前記残差信号と前記複数の再現された基本レイヤ変換係数とから複数の拡張レイヤ変換係数を再現することができるような拡張レイヤ回路と、
を有し、前記ビデオシステムが、
前記テレビジョン受信機に結合されて、前記基本レイヤビデオデータと前記拡張レイヤビデオデータとから導出されたビデオ画像を表示するビデオディスプレイ、
を有していることを特徴とするビデオシステム。
【請求項３２】  請求項３１に記載のビデオシステムにおいて、前記拡張レイヤ回路が、前記複数の再現された拡張レイヤ変換係数から複数の伸張された拡張レイヤビデオフレームを発生することができる逆変換回路を有していることを特徴とするビデオシステム。
【請求項３３】  請求項３２に記載のビデオシステムにおいて、前記逆変換回路が逆離散コサイン変換（ＩＤＣＴ）回路であることを特徴とするビデオシステム。
【請求項３４】  請求項３１に記載のビデオシステムにおいて、前記拡張レイヤ回路が、前記残差信号と前記複数の再現された基本レイヤ変換係数とを加算することができる計算回路を有していることを特徴とするビデオシステム。
【請求項３５】  請求項３１に記載のビデオシステムにおいて、前記拡張レイヤ回路が、前記拡張レイヤビデオデータを入力すると共に、該データから前記残差信号と該残差信号に関連する前記符号とを決定することができる拡張レイヤ復号回路を有していることを特徴とするビデオシステム。
【請求項３６】  少なくとも１つのストリーミングビデオ受信機と、
ストリーミングビデオ送信機と、
を有するネットワークシステムにおいて、
前記ストリーミングビデオ送信機がビデオエンコーダを有し、
該ビデオエンコーダが、
ビデオフレームの入力ストリームを入力すると共に該入力ストリームから前記少なくとも１つのストリーミングビデオ受信機に送信するのに適した圧縮された基本レイヤビデオデータを発生することができる基本レイヤ回路であって、前記基本レイヤビデオデータが前記ビデオフレームの入力ストリームに関連する複数の元の変換係数と、該複数の元の変換係数に関連する複数の再現された基本レイヤ変換係数とを有するような基本レイヤ回路と、
前記複数の元の変換係数と前記複数の再現された基本レイヤ変換係数とを入力すると共に、これら係数から前記複数の元の変換係数と前記複数の再現された基本レイヤ変換係数との間の差に比例する残差信号を発生することができる拡張レイヤ回路であって、該拡張レイヤ回路が前記少なくとも１つのストリーミングビデオ受信機に対して前記残差信号の符号を符号化し及び送出するような拡張レイヤ回路と、
を有し、前記ネットワークシステムが、
前記基本レイヤビデオデータと前記拡張レイヤビデオデータとを前記ストリーミングビデオ送信機から前記少なくとも１つのストリーミングビデオ受信機に伝送することができる可変帯域幅ネットワーク、
を有していることを特徴とするネットワークシステム。  
【請求項３７】  請求項３６に記載のネットワークシステムにおいて、前記基本レイヤ回路が、前記複数の元の変換係数を発生することができる変換回路を有していることを特徴とするネットワークシステム。
【請求項３８】  請求項３７に記載のネットワークシステムにおいて、前記変換回路が離散コサイン変換（ＤＣＴ）回路であることを特徴とするネットワークシステム。
【請求項３９】  請求項３６に記載のネットワークシステムにおいて、前記基本レイヤ回路が前記複数の元の変換係数から前記複数の再現された基本レイヤ変換係数を発生することができる量子化回路と逆量子化回路とを有していることを特徴とするネットワークシステム。
【請求項４０】  請求項３６に記載のネットワークシステムにおいて、前記拡張レイヤ回路が、前記複数の元の変換係数と前記複数の再現された基本レイヤ変換係数とを比較することができる残差計算回路を有していることを特徴とするネットワークシステム。